(57)【要約】【課題】知られている装置の不利益を回避するとともに、製造が容易であるボルト止め固締具を提案する。【解決手段】このボルト止め固締具１は、第１のアングルピース３を、ブラシユニット２の第２のアングルピース４に接合する。第１のアングルピース３は、エスカレータのヘッドピースあるいは動く歩道のヘッドピースの支持部品に配置されている。アングルピース３、４の間に配置されたアダプタによれば、補助手段なしに、ブラシユニット２の、第１のアングルピース３あるいはその元の位置に対する、正確な二次元の位置変更が可能になる。ナット７付きのボルト６およびワッシャ７．１によって、２つのアングルピース３、４とアダプタ５とが一体に保持される。【選択図】      図８
2006145032.tif 000002
【特許請求の範囲】
【請求項１】
構成部品（３、４）を接合するためのボルト止め固締具（１）であって、
ボルト止め固締具（１）が、第１の構成部品（３）と第２の構成部品（４）との間に案内接合部を作り出すアダプタ（５）を有することを特徴とする、ボルト止め固締具（１）。
【請求項２】
アダプタ（５）が、第１の構成部品（３）と第２の構成部品（４）との間に配置されていることを特徴とする、請求項１に記載のボルト止め固締具（１）。
【請求項３】
アダプタ（５）が、プレート（８）を有し、該プレート（８）が、一方の側面に、第１の構成部品（３）に設けられた長穴（１０）の中へ突出する突起（９）あるいは隆起（９）を有することと、
プレート（８）が、他方の側面に、第２の構成部品（４）に設けられた長穴（１１）の中へ突出する突起（９）あるいは隆起（９）を有していることとを特徴とする、請求項１または２に記載のボルト止め固締具（１）。
【請求項４】
ボルト（６）が設けられ、該ボルト（６）が、構成部品（３、４）とプレート（８）とを貫通し、ボルトの一方の端部に配置されることができるナット（７）とともに、構成部品（３、４）とプレート（８）とを解放可能な方法で接合することを特徴とする、請求項１から３のいずれか一項に記載のボルト止め固締具（１）。
【請求項５】
ボルト（６）が、他方の端部に、正方形首部（６．２）を有し、該正方形首部（６．２）が、第１のアングルピース（３）の長穴（１０）に滑り嵌めされるとともに、プレート（８）の正方形穴（１２）へ延在することを特徴とする、請求項１から４のいずれか一項に記載のボルト止め固締具（１）。
【請求項６】
ブラシユニット（２）を構成部品（３、４）に接合するための、請求項１から５のいずれか一項に記載のボルト止め固締具（１）。
【請求項７】
請求項１から５のいずれか一項に記載のボルト止め固締具（１）を少なくとも１つ備える、エスカレータまたは動く歩道。
【請求項８】
請求項１から５のいずれか一項に記載のボルト止め固締具（１）を少なくとも１つ備える、エレベータ。
【請求項９】
エスカレータまたは動く歩道の構成部品を接合するための、請求項１から５のいずれか一項に記載のボルト止め固締具（１）の使用方法。
【請求項１０】
エレベータ、架空索道、ケーブルカー、巻上設備、あるいは巻上機の構成部品を接合するための、請求項１から５のいずれか一項に記載のボルト止め固締具（１）の使用。
【発明の詳細な説明】
【技術分野】
【０００１】
本発明は、構成部品を接合するためのボルト止め固締具に関するものである。
【背景技術】
【０００２】
ボルト止め固締具によって接合される構成部品は、構成部品に設けられた穴に通された少なくとも２本のボルトによって、互いに接合されているのが普通である。構成部品を位置合わせする目的のために、穴は、長穴として作られ、それぞれの長穴が、一次元における位置の変更を可能にする。
【発明の開示】
【発明が解決しようとする課題】
【０００３】
このボルト止め固締具に関する不利な点は、構成部品を接合するための材料および作業にかかる高い費用である。かかる費用は、行うのに必要である接合の数が増大するにつれて、ますます重大なものになる。
【課題を解決するための手段】
【０００４】
本発明は、改善を提供することを目指すものである。本発明は、請求項１に特徴付けられたように、知られている装置の不利益を回避するとともに、製造が容易であるボルト止め固締具を提案するための解決方法を提供する。
【０００５】
本発明のさらに別の有利な展開は、従属請求項に述べられている。
【０００６】
本発明によって達成された利点は、基本的には、本発明によるボルト止め固締具が、補助手段なしに、正確な二次元の位置変更を可能にするということに認められる。ボルト止め固締具の取り付け、調整、および解放は、簡単に、正確に、かつ迅速に実施することができる。さらにまた、ボルト、ナット、ワッシャのようなボルト止め材料にかかる費用は、著しく少ない。回転できない丸頭ボルトを用いて、接続される構成部品の片手による設置、および接続される構成部品のフリーハンドによる正確な位置決めが可能である。２本あるいは３本のボルトによる通常の固締具に比べて、ボルト止め固締具は、接合の解放を、時間をより大きく節約して、より容易に、かつより迅速に行うことができる、という利点を有する。
【０００７】
本発明は、添付図面を参照することで、より詳しく説明される。
【発明を実施するための最良の形態】
【０００８】
図１から図３、および図８には、例えば、ブラシユニット２を、エスカレータのステップチェーン潤滑装置（図示せず）の第１のアングルピース３へ接合するための、本発明によるボルト止め固締具１が示されている。
【０００９】
例えば、ガラス製手すり付きのエスカレータあるいは動く歩道の場合には、ブラシユニット２付きのステップチェーン潤滑装置、あるいはブラシユニット２付きのパレットチェーン潤滑装置が、上部ヘッドピースに組み込まれている。ステップチェーン潤滑装置、特にブラシユニット２は、ステップチェーンあるいはパレットチェーンを潤滑する目的のために設けられている。ステップチェーンあるいはパレットチェーンは、エスカレータあるいは動く歩道の利用者を上方あるいは下方へ運ぶ、ステップバンドあるいはパレットバンドを接続する。ステップバンドあるいはパレットバンドについては、それぞれの側に、１つのステップチェーンあるいはパレットチェーンが必要である。これらのステップチェーンあるいはパレットチェーンは、重い荷重を受け、そのために、ブラシ２．１によるチェーンオイルで潤滑されなければならない。
【００１０】
ブラシユニット２は、第２の構成部品、例えば第２のアングルピース４に配置されている。本発明によるボルト止め固締具１は、第１の構成部品、例えば第１のアングルピース３を、第２の構成部品、例えば第２のアングルピース４へ接合する。第１のアングルピース３は、例えば、エスカレータのヘッドピース、あるいは動く歩道のヘッドピースの支持部品に配置されている。アングルピース３、４の間に配置されたアダプタ５によれば、補助手段なしに、ブラシユニット２の、第１のアングルピース３あるいはその元の位置に対する、正確な二次元の位置変更が可能になる。ナット７あるいは蝶ナット付きのボルト６、およびワッシャ７．１によって、２つのアングルピース３、４とアダプタとが一体に保持される。
【００１１】
図４から図７には、スタッド９付きのプレート８として作られたアダプタ５の細部が示されている。アダプタ５は、アングルピース３、４の間の連結部品として設けられており、アングルピース３、４の間の案内接続部を提供する。プレート８は、その前方側面および後方側面の双方に、スタッド９の形状に作られた少なくとも２つの突起あるいは隆起あるいは浮き彫り部を、それぞれ有している。スタッド９は、例えば、プレート８から外にスタンピングされるか、あるいは槌打ちされている。スタッドは、例えば、ボルトあるいはピンあるいはブッシュあるいはチューブとして作られることもできる。
【００１２】
プレート８の後方側面におけるスタッド９は、第１のアングルピース３に設けられた第１の長穴１０に突出している。プレート８の前方側面におけるスタッド９は、第２のアングルピース４に構成された第２の長穴１１に突出している。プレートの一方側面における両方のスタッド９の軸は、プレートの他方側面における２つのスタッド９の軸に対して直角に配置されている。プレートの平面に関して、長穴１０、１１は、互いに直角に配置されている。長穴１０、１１に案内されたスタッド９によれば、補助手段なしに、ブラシユニット２の、第１のアングルピース３あるいはその元の位置に対する、正確な二次元の位置変更が可能になる。
【００１３】
プレート８の対角線が交差する箇所（プレート８の中点）が、正方形穴１２であると仮定する。ボルトの頭部６．１は、丸頭として作られている。ボルト６の正方形首部６．２は、第１のアングルピース３の第１の長穴１０への滑り嵌め部であり、プレート８の正方形穴１２に突出している。ナット７が締められると、ボルト６は回転することができない。回転できない型丸頭ボルト６を用いて、ブラシユニットの片手での取り付けと、ブラシユニットのフリーハンドによる正確な位置決めとが可能である。２本または３本のボルトを有する標準的な固締具に比べて、ボルト止め固締具１は、固締具の解放を、時間をより節約して、より容易に、かつより迅速に実施することができる、という利点を有する。
【００１４】
本発明によるボルト止め固締具１は、トラスリブおよび手すり支柱に加えて、ランナーおよび／または案内レールにも使用することができ、または、エスカレータあるいは動く歩道における他のすべてのアングル接続部に加えて、コームプレート固締具にもあるいは手すりにも使用することができる。
【００１５】
本発明によるボルト止め固締具は、例えば、エレベータ、架空索道、ケーブルカー、巻上設備、あるいは巻上機のような、エスカレータあるいは動く歩道以外の装置における構成部品を接合するために使用することもできる。
【図面の簡単な説明】
【００１６】
【図１】本発明によるボルト止め固締具の前方立面図である。
【図２】本発明によるボルト止め固締具の平面図である。
【図３】本発明によるボルト止め固締具の側方立面図である。
【図４】本発明によるボルト止め固締具のアダプタの前方立面図である。
【図５】本発明によるボルト止め固締具のアダプタの平面図である。
【図６】本発明によるボルト止め固締具のアダプタの側方立面図である。
【図７】本発明によるボルト止め固締具のアダプタの三次元の図である。
【図８】本発明によるボルト止め固締具の三次元の分解図である。
【符号の説明】
【００１７】
１  ボルト止め固締具
２  ブラシユニット
２．１  ブラシ
３  第１のアングルピース
４  第２のアングルピース
５  アダプタ
６  ボルト
６．１  ボルトの頭部
６．２  正方形首部
７  ナット
７．１  ワッシャ
８  プレート
９  スタッド
１０  第１の長穴
１１  第２の長穴
１２  正方形穴
【図１】
2006145032.tif 000003
【図２】
2006145032.tif 000004
【図３】
2006145032.tif 000005
【図４】
2006145032.tif 000006
【図５】
2006145032.tif 000007
【図６】
2006145032.tif 000008
【図７】
2006145032.tif 000009
【図８】
2006145032.tif 000010
【外国語明細書】
2006145032.tif 000011
2006145032.tif 000012
2006145032.tif 000013
2006145032.tif 000014
2006145032.tif 000015
2006145032.tif 000016
2006145032.tif 000017
2006145032.tif 000018
2006145032.tif 000019
2006145032.tif 000020
2006145032.tif 000021
2006145032.tif 000022
2006145032.tif 000023
2006145032.tif 000024
2006145032.tif 000025
2006145032.tif 000026